(57)【特許請求の範囲】
【請求項１】
櫛刃状の固定刃と、櫛刃状であって固定刃の一面に接する可動刃とを備えて、可動刃の固定刃に対する往復動で毛の切断を行うヘアカッターにおいて、可動刃の往復駆動用のアクチュエータが可動刃と連結される可動子に往復振動を行わせる電磁型の振動アクチュエータであり、振動アクチュエータは可動刃に連結される第１の可動子と、可動刃に連結されない枠状の第２の可動子とを備えるとともに、枠状の第２の可動子の内部に第１の可動子が位置し、往復振動方向が同じである両可動子に共に永久磁石を設けて両可動子が逆位相で往復振動を行うものであり、第１の可動子と可動刃とを合わせた重量と、第２の可動子の重量とがほぼ等しいことを特徴とするヘアカッター。
【請求項２】
可動刃は振動アクチュエータの可動子に直結されていることを特徴とする請求項１記載のヘアカッター。
【請求項３】
第１の可動子と可動刃とを合わせた重心と、第２の可動子の重心とがほぼ同位置にあることを特徴とする請求項１または２記載のヘアカッター。
【請求項４】
第１の可動子と可動刃とを合わせた重心と、第２の可動子の重心とが振動アクチュエータを備えた本体の中心軸に位置していることを特徴とする請求項３記載のヘアカッター。
【請求項５】
両可動子は往復振動方向においてばねで結合されていることを特徴とする請求項１〜４のいずれかの項に記載のヘアカッター。
【請求項６】
可動子は固定子に対して往復運動方向に変位可能な連結体で固定部に取り付けられて、固定子と非接触状態に保持されていることを特徴とする請求項１〜５のいずれかの項に記載のヘアカッター。
【発明の詳細な説明】
【０００１】
【発明の属する技術分野】
本発明は毛髪や髭のカットに使用するヘアカッターに関するものである。
【０００２】
【従来の技術】
毛髪や髭のカットに使用するヘアカッターは、櫛刃状の固定刃と、同じく櫛刃状であって上記固定刃の一面に接する可動刃とを備えて、可動刃と固定刃との接触面と平行な方向に可動刃を往復駆動して、固定刃の刃先と可動刃の刃先とにおいて毛を切断するが、従来、ヘアカッターの本体内に配した回転モータによって回転駆動される駆動軸に偏心軸を設け、可動刃側の部材に偏心軸が係合するカム溝を設けて、偏心軸の回転のうちの一方向成分から往復運動を取り出して、該往復運動を上記可動刃に伝達することで可動刃に往復動を行わせていた。
【０００３】
【発明が解決しようとする課題】
この場合、回転モータの回転運動を往復運動に変換する運動変換部品を用いているために、駆動のロスが大きく、また偏心軸とカム溝との係合部からの騒音が問題となる。また、可動刃の往復動に伴う振動も発生し、使い勝手の悪いものであった。
【０００４】
しかも、回転モータ自体も整流子を備えたものが用いられていたことから、切れ味を上げる為に回転モータの回転数を上げたくても、モータの寿命が短くなってしまうために、回転数をあまり上げることができないという問題があった。
【０００５】
本発明はこのような点に鑑みなされたものであって、その目的とするところは可動刃の往復駆動を効率良く行うことができるヘアカッターを提供するにある。
【０００６】
【課題を解決するための手段】
しかして本発明は、櫛刃状の固定刃と、櫛刃状であって固定刃の一面に接する可動刃とを備えて、可動刃の固定刃に対する往復動で毛の切断を行うヘアカッターにおいて、可動刃の往復駆動用のアクチュエータが可動刃と連結される可動子に往復振動を行わせる電磁型の振動アクチュエータであり、振動アクチュエータは可動刃に連結される第１の可動子と、可動刃に連結されない枠状の第２の可動子とを備えるとともに、枠状の第２の可動子の内部に第１の可動子が位置し、往復振動方向が同じである両可動子に共に永久磁石を設けて両可動子が逆位相で往復振動を行うものであり、第１の可動子と可動刃とを合わせた重量と、第２の可動子の重量とがほぼ等しいことに特徴を有している。運動変換部材を必要とすることなく可動刃に往復動を行わせることができる。また、第１の可動子と可動刃とを合わせた重量と、第２の可動子の重量とをほぼ等しくしていると、本体の振動低減をより確実に行うことができる。
【０００７】
この時、可動刃は振動アクチュエータの可動子に直結されていることが好ましい。
【０００８】
また、第１の可動子と可動刃とを合わせた重心と、第２の可動子の重心とをほぼ同位置にしたり、さらには第１の可動子と可動刃とを合わせた重心と、第２の可動子の重心とが振動アクチュエータを備えた本体の中心軸に位置していると、本体の振動低減をより確実に行うことができる。
【０００９】
また、両可動子は往復振動方向においてばねで結合されていることが駆動効率の向上の点で好ましい。
【００１０】
また、可動子は固定子に対して往復運動方向に変位可能な連結体で固定部に取り付けられて、固定子と非接触状態に保持されていることが好ましい。
【００１１】
【発明の実施の形態】
以下本発明を実施の形態の一例に基づいて詳述すると、このヘアカッターは図２に示すように手で握ることができる筒状として形成された本体１の先端部に刃取付台４を介して刃ブロック５を取り付けたもので、刃ブロック５は図１に示すように先端縁が櫛刃となっている固定刃５１と、同じく先端縁が櫛刃となっている可動刃５２と、カム９とを備えたものとなっている。なお、カム９は可動刃５２に一体的に取り付けられて、この両者で可動刃ブロック１６が構成されている。図１中の１５は刃取付台４に刃ブロック５を取り付けるための刃止めばねである。
【００１２】
上記本体１は、半割状のケース２，３内に振動アクチュエータ６と電池１４と回路基板１３とを納めたもので、本体１外面にはスイッチハンドル１１がスライド自在に取り付けられており、このスイッチハンドル１１は接点ばねが溶着固定されたクリック板１２を動かして、回路基板１３上の接点回路を開閉する。
【００１３】
上記振動アクチュエータ６は往復振動を行う可動子２２を出力部として備えたもので、該可動子２２から突設した駆動軸８を上記カム９が備える係合溝１０に係合させることから、可動刃５２は振動アクチュエータ６に直結されていることになり、振動アクチュエータ６の作動により、可動刃５２は固定刃５１に対して可動子２２と同じ動きの往復動を行う。
【００１４】
上記振動アクチュエータ６は図３〜５に示すように、フレーム２３と、該フレーム２３にねじ具または溶接で固定された固定子３２と、往復動を行う一対の可動子２２，２２と、フレーム２３に可動子２２，２２を連結している連結体２９と、一対の可動子２２，２２間に懸架されるばね３３，３３とからなるもので、図７から明らかなように、両可動子２２，２２に共に永久磁石２４，２４を設けている。また、各可動子２２は永久磁石２４とバックヨーク２５とこれらを一体化する骨組部材２６とで構成され、永久磁石２４は磁性材料であるバックヨーク２５に接着固定されている。
【００１５】
固定子３２は磁性材料の焼結体や磁性材料の鉄板を積層した鉄心２１に巻線２７を施した電磁石であり、鉄心２１の上端面は可動子２２に設けた永久磁石２４に図４に示すギャップ２８を隔てて対向する。
【００１６】
上記連結体２９は、可動子２２を固定子３２に対して非接触状態に保持して上記ギャップ２８を維持するためのもので、伸びの少ない弾性材料からなり、上端が支持板３０を介してフレーム２３に固定され、下端が支持板３１を介して各可動子２２，２２に連結されている。両可動子２２はその両端部が連結体２９によってフレーム２３から吊り下げられたものとなっている。
【００１７】
そして上記のばね３３は、枠状に構成された一方の可動子２２の内面と、この可動子２２の内部に位置することになる他方の可動子２２との間に可動子２２の往復動方向に配設されたもので、可動体２９の往復動に対してばね性を発揮することになる連結体２９とともに、振動アクチュエータ６の可動子２２の振動数を一定に保つための役割を担っている。
【００１８】
このようにブロック化されている振動アクチュエータ６は、その電磁石である固定子３２の巻線２７に電流を流す時、可動子２２は永久磁石２４と電磁石との吸引、反発力により移動するが、電流方向を適宜切り替えることで、可動子２２は連結体２９によって規制された方向での往復動を行う。電磁石に交番電流を流せば、可動子２２が直接往復振動を行うものであり、振動型リニアモータを構成していることから、回転運動を往復運動に変換する運動変換部材を必要としていないものであり、また、可動子２２と固定子３２が非接触であるため、従来のように可動子と固定子間で摺動部を有するものにくらべて低騒音であり、また、長寿命を実現することができるものである。
【００１９】
なお、固定子３２をフレーム２３に固定せず、可動子２２、連結体２９、フレーム２３のブロックとは別にヘアカッター本体１に固定するようにしたものであってもよい。
【００２０】
ここにおいて、本例で示したものでは、一対の可動子２２，２２を備えているが、可動刃ブロック１６に連結される駆動軸８は一方の可動子２２のみに設けている。駆動軸８を備えていない可動子２２は、振動アクチュエータ６の作動時の不要振動発生を抑えるために設けたもので、ここでは駆動軸８を備えた可動子２２と駆動軸８を備えていない可動子２２とを逆位相で往復動させている。
【００２１】
この時、可動刃ブロック１６を駆動する可動子２２の重量に可動刃ブロック１６の重量を加えた重量と、可動刃ブロック１６を駆動しない可動子４０の重量を略等しくしておくことが振動低減において好ましく、または図６に示すように、可動刃ブロック１６を駆動する可動子２２と可動刃ブロック１６の合計の重心４２と、可動刃ブロック１６を駆動しない可動子２２の重心４３とが同一であり、更には上記重心４２，４３が本体１の中心軸４４にあると、本体１における往復運動方向の振動をゼロにすることができる。
【００２２】
前記ばね３３の役割は、板ばねで構成する連結体２９に担わせるようにしてもよい。
【００２３】
【発明の効果】
以上のように本発明においては、往復振動を取り出すことができる振動アクチュエータで可動刃を駆動するものであり、運動変換部材を必要とすることなく可動刃に往復動を行わせることができるために、運動変換部材の設置スペースを必要とせず、コンパクトに構成できるとともに駆動のロスを少なくすることができる。また、振動アクチュエータとして、可動刃に連結される第１の可動子のほかに、可動刃に連結されない第２の可動子を備え、枠状の第２の可動子の内部に第１の可動子が位置し、往復振動方向が同じである両可動子に共に永久磁石を設けて両可動子に異なる位相の往復振動を行わせるものであり、不要振動の抑制に有利であり、特に両可動子が逆位相で往復振動を行う時、不要振動をより低減することができる。また、第１の可動子と可動刃とを合わせた重量と、第２の可動子の重量とをほぼ等しくしたので、不要振動をさらに確実に低減させることができる。
【００２４】
特に可動刃を振動アクチュエータの可動子に直結することで、駆動効率を高めることができる。
【００２５】
また、第１の可動子と可動刃とを合わせた重心と、第２の可動子の重心とをほぼ同位置にすれば、不要振動をさらに確実に低減させることができ、第１の可動子と可動刃とを合わせた重心と、第２の可動子の重心とが振動アクチュエータを備えた本体の中心軸に位置していると、本体の不要振動をほぼゼロとすることができ、ヘアカッター本体を握る手に振動を感じなくなって従来の回転モータ使用のヘアカッターと比べると使用時に非常になめらかな感じで毛を切断することができる。
【００２６】
また、両可動子は往復振動方向においてばねで結合されていると、アクチュエータの振動数を一定に保つことができるので、刃ブロックに多量の毛が入った場合（高負荷）でも初期の切れ味を確保でき、毛をスムーズに切断することができる。また、刃に負荷が加わる前後でアクチュエータの振動数が変化しないために音の変化がなく、心地良い使用感のものを得ることができる。
【００２７】
また、可動子は固定子に対して往復運動方向に変位可能な連結体で固定部に取り付けられて、固定子と非接触状態に保持されていると、アクチュエータの振動数が高くて切れ味が良い上に低騒音で長寿命のものを得ることができる。
【図面の簡単な説明】
【図１】  本発明の実施の形態の一例の分解斜視図である。
【図２】  同上の斜視図である。
【図３】  同上の振動アクチュエータの斜視図である。
【図４】  同上の振動アクチュエータの正面図である。
【図５】  同上の振動アクチュエータの分解斜視図である。
【図６】  同上の振動アクチュエータと可動刃ブロックの斜視図である。
【図７】  同上の振動アクチュエータと可動刃ブロックの斜視図である。
【符号の説明】
６  振動アクチュエータ
１６  可動刃ブロック
２２  可動子
【図１】
0004099999.tif 000002
【図２】
0004099999.tif 000003
【図３】
0004099999.tif 000004
【図４】
0004099999.tif 000005
【図５】
0004099999.tif 000006
【図６】
0004099999.tif 000007
【図７】
0004099999.tif 000008